(57)【要約】【課題】  携帯電話機としての機能を維持しつつ、携帯電話機をパーソナルコンピュータとして使用することができるようにすること。【解決手段】  内部電源又は外部電源で駆動するパーソナルコンピュータ機能付携帯電話機であって、外部装置と接続可能な携帯電話機側インターフェイスと、内部電源と、携帯電話機側インターフェイスに外部装置が接続されておらず、且つ、内部電源で駆動している場合には、パワーマネージメント機能を実行する実行手段とを備えたことを特徴とするパーソナルコンピュータ機能付携帯電話機。【選択図】    図１
2007129341.tif 000002
【特許請求の範囲】
【請求項１】
内部電源又は外部電源で駆動するパーソナルコンピュータ機能付携帯電話機であって、
外部装置と接続可能な携帯電話機側インターフェイスと、
内部電源と、
前記携帯電話機側インターフェイスに前記外部装置が接続されておらず、且つ、前記内部電源で駆動している場合には、パワーマネージメント機能を実行する実行手段と
を備えたことを特徴とするパーソナルコンピュータ機能付携帯電話機。
【請求項２】
前記外部電源で駆動している場合には、パワーマネージメント機能を実行させない実行不能化手段
を備えたことを特徴とする請求項１に記載のパーソナルコンピュータ機能付携帯電話機。
【請求項３】
請求項１又は２に記載のパーソナルコンピュータ機能付携帯電話機と接続可能な外部装置であって、
前記パーソナルコンピュータ機能付携帯電話機と接続可能な外部装置側インターフェイスと、
前記外部装置側インターフェイスを介して前記パーソナルコンピュータ機能付携帯電話機に数字、文字及び記号等を入力可能なキーボードと、
前記外部装置側インターフェイスを介して前記パーソナルコンピュータ機能付携帯電話機から受信した映像信号に基づいた画像を表示する画像表示装置と
を備えたことを特徴とする外部装置。
【発明の詳細な説明】
【技術分野】
【０００１】
本発明は、パーソナルコンピュータ機能付携帯電話機及びパーソナルコンピュータ機能付携帯電話機と接続可能な外部装置に関する。
【背景技術】
【０００２】
従来、携帯電話機は、単に携帯可能な小型の電話機としての機能だけではなく、データの送受信機能や各種の演算、記憶機能を備えており、近年では、パーソナルコンピュータと遜色のないスペックを有するようになっている。このため、本来、パーソナルコンピュータを使用して行うような機能（例えば、計算機能やスケジュール管理機能）を携帯電話機に付加して使用するケースが増加しつつある。
【０００３】
このような携帯電話機においては、ＣＰＵの処理速度やＤＲＡＭ等の半導体メモリから構成される物理的メモリの容量は、さらに高機能化の一途を辿っているが、高速のＣＰＵを搭載することや物理的メモリの容量を増やすことが、携帯性を阻害する要因とはなっていない。
【０００４】
一方、大容量のデータを記憶するハードディスクや複数の各種装置等、本来、携帯電話機としての機能にとって余り関係しない装置を携帯電話機自体に備えることは、大型化の問題を生じることになる。特に、携帯電話機をパーソナルコンピュータとして使用する場合、携帯電話機の表示画面を大型化することは、携帯電話機の携帯性の観点から限界があり、パーソナルコンピュータと同程度の画面を設けることはできない。また、操作性の観点から、パーソナルコンピュータと同程度のキーピッチを有するキーボードを別途携帯する必要が生じてくるが、現実的ではないといった問題があった。
【０００５】
従来、ディスプレイと、ヒンジ部の左右に開閉自在なキーボードとを備えたパソコン兼用携帯電話機が存在する（例えば、特許文献１参照）。特許文献１に記載のパソコン兼用携帯電話機によれば、キーボードを有するため、携帯電話機の入力キーから文字等を入力するのに比して高い操作性を得ることができる。
【０００６】
【特許文献１】特開２００５−５１５５０号公報
【発明の開示】
【発明が解決しようとする課題】
【０００７】
しかしながら、特許文献１に記載のパソコン兼用携帯電話機では、携帯電話機が備えるディスプレイを用いるため、充分な画面サイズを確保することができず、パーソナルコンピュータとしては、やはり使い勝手が悪いものとなるといった問題があった。また、特許文献１に記載のパソコン兼用携帯電話機が備えるキーボードは、通常のパーソナルコンピュータが備えるキーボードよりもキーピッチが狭いため、隣接するキーを誤打したり、共打ちしたりすることが多いといった問題があった。
【０００８】
さらに、特許文献１に記載のパソコン兼用携帯電話機では、パーソナルコンピュータとして使用した場合、内部電源（例えば、電池）を使用しているため、長時間使用できないばかりか、多量の電力を消費すると、通話可能時間が短くなり、携帯電話機本来の機能に影響を及ぼすことになるといった問題があった。
【０００９】
近年、ＰＤＡ、デジタルスチルカメラ、デジタルビデオカメラ、デジタルオーディオプレーヤ、携帯電話機、ノート型パーソナルコンピュータ、デスクトップ型パーソナルコンピュータ等の電子機器を各個人が所有していることが多いが、これらの電子機器を同時に使用することは少なく、むしろ、各電子機器に記憶等されたデータを一箇所（例えば、デスクトップ型パーソナルコンピュータ）に移動させた上で、データの保存や加工を行うことが多い。
ところが、特許文献１に記載のパソコン兼用携帯電話機では、キーボードから入力されたデータは、携帯電話機内にデータが保存されるため、他の電子機器（例えば、パーソナルコンピュータ）で当該データを保存、加工したい場合や、他の電子機器のデータを携帯電話機内で保存、加工したい場合には移動させる必要があり、手間となるといった問題があった。
【００１０】
本発明は、上述した課題に鑑みてなされたものであり、その目的は、携帯電話機としての機能を維持しつつ、携帯電話機をパーソナルコンピュータとして使用することができるようにすることにある。
【課題を解決するための手段】
【００１１】
以上のような目的を達成するために、本発明は、以下のようなものを提供する。
（１）  内部電源又は外部電源で駆動するパーソナルコンピュータ機能付携帯電話機であって、
外部装置と接続可能な携帯電話機側インターフェイスと、
内部電源と、
上記携帯電話機側インターフェイスに上記外部装置が接続されておらず、且つ、上記内部電源で駆動している場合には、パワーマネージメント機能を実行する実行手段と
を備えたことを特徴とするパーソナルコンピュータ機能付携帯電話機。
【００１２】
（１）の発明によれば、携帯電話機側インターフェイスを介して外部装置（例えば、キーボード、画像表示装置や外部記憶媒体読取／書込装置（ＤＶＤ−Ｒ装置、ＣＤ−Ｒ装置））と接続可能であるため、外部装置と接続して一体化することにより、パーソナルコンピュータとして遜色のない使用感を提供することができる。
【００１３】
また、携帯電話機側インターフェイスに外部装置が接続されておらず、且つ、内部電源で駆動している場合には、パワーマネージメント機能が実行される。すなわち、高度の処理能力を必要としない場合（例えば、通話やメールの送受信）には、パワーマネージメント機能が実行され、内部電源を無駄に消費してしまうことを防止することができる。
なお、本発明において、パワーマネージメント機能とは、ＣＰＵ等の演算処理装置の動作を低下させる等、消費電力を低減させるための機能をいう。
また、本発明において、外部電源とは、電力会社等から一般に供給されている商用電源及び外部装置から供給される電源を含む、内部電源以外の電源をいう。
【００１４】
また、携帯電話機側インターフェイスを介して外部装置と接続可能であるため、携帯電話機側インターフェイスに接続された外部装置から、携帯電話機内という一箇所にデータ等を集めることができるため、利便性が向上する。
【００１５】
さらに、本発明は、以下のようなものを提供する。
（２）  上記（１）に記載のパーソナルコンピュータ機能付携帯電話機であって、
上記外部電源で駆動している場合には、パワーマネージメント機能を実行させない実行不能化手段を備えたことを特徴とする。
【００１６】
（２）の発明によれば、外部電源で駆動している場合には、パワーマネージメント機能を実行させないため、省電力の稼働状態とはならない。従って、パーソナルコンピュータとして使用する場合に、省電力の稼働状態から通常の稼働状態へ復元する待ち時間を必要としない。また、外部電源で駆動しているため、通話可能時間が短くなるといったような、携帯電話機本来の機能に影響を及ぼすこともない。
【００１７】
さらに、本発明は、以下のようなものを提供する。
（３）  上記（１）又は（２）に記載のパーソナルコンピュータ機能付携帯電話機と接続可能な外部装置であって、
上記パーソナルコンピュータ機能付携帯電話機と接続可能な外部装置側インターフェイスと、
上記外部装置側インターフェイスを介して上記パーソナルコンピュータ機能付携帯電話機に数字、文字及び記号等を入力可能なキーボードと、
上記外部装置側インターフェイスを介して上記パーソナルコンピュータ機能付携帯電話機から受信した映像信号に基づいた画像を表示する画像表示装置と
を備えたことを特徴とする外部装置。
【００１８】
（３）の発明によれば、外部装置側インターフェイスを介してパーソナルコンピュータ機能付携帯電話機に数字、文字及び記号等を入力可能なキーボードと、外部装置側インターフェイスを介してパーソナルコンピュータ機能付携帯電話機から受信した映像信号に基づいた画像を表示する画像表示装置とを備えているため、外部装置側インターフェイスを介してパーソナルコンピュータ機能付携帯電話機と接続して一体化することにより、パーソナルコンピュータ機能付携帯電話機に、パーソナルコンピュータとして遜色のない使用感を付与することができる。
【発明の効果】
【００１９】
本発明によれば、携帯電話機としての機能を維持しつつ、携帯電話機をパーソナルコンピュータとして使用することができるようになる。
【発明を実施するための最良の形態】
【００２０】
図１は、本実施形態に係るパーソナルコンピュータ機能付携帯電話機及び外部装置の一例を模式的に示す斜視図である。
パーソナルコンピュータ機能付携帯電話機１０（以下、単に「携帯電話機１０」ともいう）は、一般的な携帯電話機としての機能（例えば、通話機能やメールの送受信機能）と、パーソナルコンピュータとしての機能（例えば、文書作成機能や表計算機能）とを有している携帯電話機である。
【００２１】
外部装置５０には、携帯電話機１０を挿入可能な接続スロット６８ａが設けられていて、携帯電話機１０を接続スロット６８ａに挿入することにより、携帯電話機１０が備える接続端子３４（図２参照）と外部装置５０が備える接続端子６８（図３参照）とが接続される。これにより、携帯電話機１０に対して、外部装置５０が備えるマウス６２やキーボード６４から指示を入力したり、ディスプレイ６６に、携帯電話機１０の液晶パネル１４に表示されるべき画像等を表示させたりすることができる。
このように、携帯電話機１０と外部装置５０とを接続することにより、携帯電話機１０をパーソナルコンピュータとして使用する際に、外部装置５０が備える各種装置（例えば、マウス６２、キーボード６４、ディスプレイ６６等）を利用することができる。
【００２２】
図２は、図１に示したパーソナルコンピュータ機能付携帯電話機の内部構成を示すブロック図である。
携帯電話機１０は、操作部１２、液晶パネル１４、ＣＣＤカメラ１６、無線部１８、音声回路２０、スピーカ２２、マイク２４、送受信アンテナ２６、不揮発性メモリ２８、マイクロコンピュータ３０、二次電池３２及び接続端子３４を備えている。
【００２３】
無線部１８は、マイクロコンピュータ３０により制御されて、送受信アンテナ２６を通じて電波を媒体として基地局に対して送受信する。音声回路２０は、無線部１８からマイクロコンピュータ３０を通じて出力された受信信号をスピーカ２２に出力するとともに、マイク２４から出力された音声信号を送信信号としてマイクロコンピュータ３０を通じて無線部１８に出力する。
【００２４】
スピーカ２２は、音声回路２０から出力された受信信号を受信音声に変換して出力し、マイク２４は、操作者から発せられた送信音声を音声信号に変換して音声回路２０に出力する。
ＣＣＤカメラ２６は、被写体を撮像可能であり、撮像して得られた画像データは不揮発性メモリ２８に記憶される。
【００２５】
接続端子３４は、外部装置５０と接続するための端子であり、本発明における携帯電話機側インターフェイスに相当するものである。携帯電話機側インターフェイスとしては、例えば、ＵＳＢ（Ｕｎｉｖｅｒｓａｌ  Ｓｅｒｉａｌ  Ｂｕｓ）ポートやＲＳ−２３２Ｃポートが挙げられるが、本発明においては、外部装置と接続可能であれば、特に限定されるものではない。
本実施形態においては、携帯電話機１０と外部装置５０との接続が有線による接続である場合について説明するが、本発明は、これに限定されず、例えば、赤外線通信による接続等、無線による接続であってもよい。
【００２６】
不揮発性メモリ２８は、例えば、操作部１２を介して入力された文字等のデータ、ＣＣＤカメラ１６により撮像して得られた画像データ、送受信アンテナ２６を介して受信したメール等のデータ、接続端子３４を介して外部装置５０から受信した各種データや各種プログラムを不揮発的に記憶する。
【００２７】
また、不揮発メモリ２８には、携帯電話機用のＯＳ（Ｏｐｅｒａｔｉｎｇ  Ｓｙｓｔｅｍ）や各種プログラム（アプリケーションソフト）が記憶されている。各種プログラムとしては、通話に係るプログラムやメールの送受信に係るプログラム等、携帯電話機としての機能に係るプログラムや、文書の作成に係るプログラムや表計算に係るプログラム等、パーソナルコンピュータとしての機能に係るプログラムが挙げられる。
【００２８】
また、不揮発メモリ２８には、パワーマネージメント機能に係るプログラムが記憶されている。マイクロコンピュータ３０は、接続端子３４を介して外部装置５０が接続されておらず、且つ、携帯電話機１０が二次電池３２で駆動している（ＡＣアダプタ３６が接続されている）と判断した場合には、パワーマネージメント機能に係るプログラムを読み出して実行する。さらに、マイクロコンピュータ３０は、ＡＣアダプタ３６が接続されていると判断した場合には、このプログラムの実行を不能化する。
【００２９】
液晶パネル１４は、例えば、操作部１２を介して入力された文字、ＣＣＤカメラ１６により撮像して得られた画像、送受信アンテナ２６を介して受信したメール文面や画像、接続端子３４を介して外部装置５０から受信した各種データに基づく文字や画像等を表示する。
【００３０】
内部電源としての二次電池３２は、各回路に電力を供給するとともに、ＡＣアダプタ３６が接続された場合には、ＡＣアダプタ３６から供給される電力により充電される。
ＡＣアダプタ３６は、携帯電話機１０に接続されることにより、二次電池３２を充電するとともに、外部（例えば、家庭用コンセント）から供給される外部電源を各回路に供給する。
【００３１】
マイクロコンピュータ３０は、ＣＰＵ、ＲＯＭ及びＲＡＭから構成されたもので、上記のＯＳ上で各種プログラムを実行することにより、携帯電話機としての機能に係る処理やパーソナルコンピュータとしての機能に係る処理を行う。
また、マイクロコンピュータ３０は、接続端子３４に外部装置５０が接続されると、外部装置５０を認識し、接続端子３４を介して、外部装置５０との信号の入出力やデータの送受信に係る処理を実行可能になる。
【００３２】
図３は、図１に示した外部装置の内部構成を示すブロック図である。
外部装置５０は、ＣＰＵ５２、ＲＯＭ５４、ＲＡＭ５６、ハードディスクドライブ５８、ＣＤ−Ｒ／ＤＶＤ−Ｒドライブ６０、マウス６２、キーボード６４、ディスプレイ６６及び接続端子６８を備えている。
【００３３】
ＲＯＭ５４には、外部装置５０の起動に必要なプログラムが記憶されている。ＣＰＵ５２は、電源が投入されると、ＲＯＭ５４に記憶されているプログラムに従って起動した後、外部装置５０の動作制御を行う。具体的には、マウス６２、キーボード６４、ディスプレイ６６、ハードディスクドライブ５８、ＣＤ−Ｒ／ＤＶＤ−Ｒドライブ６０の動作制御を行う。ＲＡＭ５６は、ＣＰＵ５２が動作する際に用いるデータ等を記憶する。
【００３４】
マウス６２及びキーボード６４は、数字、文字及び記号等を入力する等、各種操作を入力するためのものである。ディスプレイ６６は、受信した映像信号に基づいて画像を表示するものであり、本発明における画像表示装置に相当するものである。ＣＤ−Ｒ／ＤＶＤ−Ｒドライブ６０は、ＣＤやＤＶＤに記憶されたデータを読み出し、また、ハードディスクドライブ５８に記憶されているデータをＣＤやＤＶＤに書き込むためのものである。
【００３５】
ハードディスクドライブ５８は、パーソナルコンピュータ用のＯＳ（以下、「ＰＣ用ＯＳ」ともいう）や各種のプログラム（アプリケーションソフト）を記憶している。各種プログラムとしては、文書の作成に係るプログラムや表計算に係るプログラム等が挙げられる。
また、ハードディスクドライブ５８は、マウス６２、キーボード６４、ＣＤ−Ｒ／ＤＶＤ−Ｒドライブ６０、ディスプレイ６６等、各種装置のデバイスドライバを記憶している。
接続端子６８は、本発明における外部装置側インターフェイスに相当するものであり、携帯電話機１０と接続可能である。
【００３６】
外部装置５０が起動している間に、携帯電話機１０が接続された場合には、ＣＰＵ５２は、携帯電話機１０を認識し、携帯電話機１０の不揮発メモリ２８にアクセス可能となる。
一方、外部装置５０の電源が切断されている間に、携帯電話機１０が接続された場合には、携帯電話機１０は、外部装置５０を認識する。すなわち、マウス６２、キーボード６４、ＣＤ−Ｒ／ＤＶＤ−Ｒドライブ６０、ディスプレイ６６等、各種装置は、携帯電話機１０（マイクロコンピュータ３０）に認識され、携帯電話機１０に制御されることとなる。これにより、携帯電話機１０は、外部装置５０と一体化して動作することとなり、また、外部装置５０からデータを受信し、携帯電話機１０が備える不揮発メモリ２８に記憶することができるようになる。
【００３７】
図４は、パーソナルコンピュータ機能付携帯電話機において行われる携帯電話機処理を示すフローチャートである。
まず、マイクロコンピュータ３０は、電源が投入されると、不揮発メモリ２８に記憶されている携帯電話機用のＯＳを読み出し、その後、このＯＳ上でプログラムの実行処理を行う（ステップＳ１０）。この処理において、マイクロコンピュータ３０は、電話の着信や通話に係る処理、メールの送受信に係る処理等を、所定のプログラムに基づいて実行する。
【００３８】
次に、マイクロコンピュータ３０は、外部装置５０が接続されたか否かを判断する（ステップＳ１１）。外部装置５０が接続されていないとき判断した場合、処理をステップＳ１０に戻す。一方、外部装置５０が接続されたと判断した場合、マイクロコンピュータ３０は、外部装置５０を認識する（ステップＳ１２）。マイクロコンピュータ３０は、外部装置５０を認識することにより、接続端子３４を介して外部装置５０が備える各種装置と信号の入出力やデータの送受信を行うことが可能となる。従って、例えば、外部装置５０が備えるキーボード６４から指示や文字等を入力することができ、液晶パネル１４に表示されるべき画面画像又は他の画像を表示装置６６に表示させることができる。ステップＳ１２の処理をした後、ステップＳ１０に処理を戻す。これにより、携帯電話機１０は、外部装置５０と一体化したパーソナルコンピュータとして機能することになる。
【００３９】
図５は、パーソナルコンピュータ機能付携帯電話機において行われるパワーマネージメント処理のサブルーチンを示すフローチャートである。このサブルーチンは、図４に示したサブルーチンとは別に所定のタイミングで呼び出されて実行されるサブルーチンである。
【００４０】
まず、マイクロコンピュータ３０は、外部装置５０が接続されているか否かを判断する（ステップＳ２０）。外部装置５０が接続されていないと判断した場合、マイクロコンピュータ３０は、ＡＣアダプタ３６が接続されているか否かを判断し（ステップＳ２１）、ＡＣアダプタ３６が接続されていない場合（ステップＳ２１：ＮＯ）には、パワーマネージメント機能を実行し（ステップＳ２２）、本サブルーチンを終了する。ステップＳ２２の処理を実行するとき、マイクロコンピュータ３０は、パワーマネージメント機能を実行する実行手段として機能する。
【００４１】
一方、外部装置５０が接続されていないと判断した場合（ステップＳ２０：ＮＯ）、又は、ＡＣアダプタ３６が接続されていると判断した場合（ステップＳ２１：ＹＥＳ）、マイクロコンピュータ３０は、パワーマネージメント機能を不能化し（ステップＳ２３）、本サブルーチンを終了する。ステップＳ２３の処理を実行するとき、マイクロコンピュータ３０は、パワーマネージメント機能を実行させない実行不能化手段として機能する。
【００４２】
以上、本実施形態に係る携帯電話機１０によれば、接続端子３４を介して外部装置５０と接続可能であるため、外部装置５０と接続して一体化することにより、パーソナルコンピュータとして遜色のない使用感を提供することができる。
【００４３】
また、接続端子３４に外部装置５０が接続されておらず、且つ、二次電池３２で駆動している場合には、パワーマネージメント機能が実行される。すなわち、高度の処理能力を必要としない場合（例えば、通話やメールの送受信）には、パワーマネージメント機能が実行され、二次電池３２を無駄に消費してしまうことを防止することができる。
【００４４】
また、接続端子３４を介して外部装置５０と接続可能であるため、接続端子３４に接続された外部装置５０から、携帯電話機１０内という一箇所にデータ等を集めることができるため、利便性が向上する。
【００４５】
また、本実施形態に係る携帯電話機１０によれば、ＡＣアダプタ３６が接続されている場合には、パワーマネージメント機能を実行させないため、省電力の稼働状態とはならない。従って、パーソナルコンピュータとして使用する場合に、省電力の稼働状態から通常の稼働状態へ復元する待ち時間を必要としない。また、ＡＣアダプタ３６を介して外部（例えば、家庭用コンセント）から供給される外部電源で駆動しているため、通話可能時間が短くなるといったような、携帯電話機本来の機能に影響を及ぼすこともない。
【００４６】
また、本実施形態に係る外部装置５０によれば、接続端子６８を介して携帯電話機１０に数字、文字及び記号等を入力可能なキーボード６４と、接続端子６８を介して携帯電話機１０から受信した映像信号に基づいた画像を表示するディスプレイ６６とを備えているため、接続端子６８を介して携帯電話機１０と接続して一体化することにより、携帯電話機１０に、パーソナルコンピュータとして遜色のない使用感を付与することができる。
【００４７】
上述した本実施形態では、外部装置５０は、携帯電話機１０が接続されていなくとも、外部装置５０自体がパーソナルコンピュータとして利用可能である場合について説明した。しかし、本発明における外部装置は、外部装置のみでは、パーソナルコンピュータとして利用できなくともよい。このような外部装置について、以下に説明する。
【００４８】
図６は、他の実施形態に係る外部装置の内部構成を示すブロック図である。
外部装置８０は、ハードディスクドライブ８２、ＣＤ−Ｒ／ＤＶＤ−Ｒドライブ８４、マウス８６、キーボード８８、ディスプレイ９０及び接続端子９２を備えている。
【００４９】
各種装置（ハードディスクドライブ８２、ＣＤ−Ｒ／ＤＶＤ−Ｒドライブ８４、マウス８６、キーボード８８、ディスプレイ９０）は、接続端子９２に携帯電話機１０が接続されると、携帯電話機１０に認識される。
携帯電話機１０では、これらの各種装置を認識すると、接続端子９２を介して信号の入出力やデータの送受信が可能となる。
【００５０】
上述した実施形態では、携帯電話機１０が、ＣＣＤカメラ１６、液晶パネル１４を備えている場合について説明したが、本発明においてパーソナルコンピュータ機能付携帯電話機は、これらを備えていなくてもよく、外部装置と接続可能な携帯電話機側インターフェイスを備えており、通信が可能であれば、特にその構成は限定されるものではない。
【００５１】
上述した実施形態では、携帯電話機１０にメールの送受信機能が備えられている場合について説明したが、本発明においてパーソナルコンピュータ機能付携帯電話機は、メールの送受信機能が備えられていなくてもよい。また、本発明において、パーソナルコンピュータ機能付携帯電話機で実行するプログラムは、特に限定されるものではなく、携帯電話機において処理可能であればよい。
【００５２】
本発明において、パーソナルコンピュータ機能付携帯電話機が備えるＣＰＵ等の電子部品は、高機能なものが望ましい。高速のＣＰＵを搭載することや物理的メモリの容量を増やすことが、携帯性を阻害することは少ない一方で、パーソナルコンピュータとして使用する場合に、より良い環境で使用することができるからである。
【００５３】
本発明において外部装置は、外部装置側インターフェイスとキーボードと画像表示装置とを備えていれば、特に限定されるものではなく、例えば、プリンタ等その他の装置が備えられていてもよい。
【００５４】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００５５】
【図１】本実施形態に係るパーソナルコンピュータ機能付携帯電話機及び外部装置の一例を模式的に示す斜視図である。
【図２】図１に示したパーソナルコンピュータ機能付携帯電話機の内部構成を示すブロック図である。
【図３】図１に示した外部装置の内部構成を示すブロック図である。
【図４】パーソナルコンピュータ機能付携帯電話機において行われる携帯電話機処理を示すフローチャートである。
【図５】パーソナルコンピュータ機能付携帯電話機において行われるパワーマネージメント処理のサブルーチンを示すフローチャートである。
【図６】他の実施形態に係る外部装置の内部構成を示すブロック図である。
【符号の説明】
【００５６】
１０  パーソナルコンピュータ機能付携帯電話機
１２  操作部
１４  液晶パネル
２８  不揮発性メモリ
３０  マイクロコンピュータ
３２  二次電池
３４  接続端子
３６  ＡＣアダプタ
５０、８０  外部装置
６４、８８  キーボード
６６、９０  ディスプレイ
６８、９２  接続端子
【図１】
2007129341.tif 000003
【図２】
2007129341.tif 000004
【図３】
2007129341.tif 000005
【図４】
2007129341.tif 000006
【図５】
2007129341.tif 000007
【図６】
2007129341.tif 000008